(57)【要約】【課題】切削加工面に鋳巣が現れることを防止すること。【解決手段】製品形状のキャビティ空間を作り出すように二つの金型（固定金型２及び可動金型４）を型締めする型締め工程（図１）と、キャビティ空間にアルミ合金の溶湯を圧入充填する溶湯充填工程（図２）と、アルミ合金の溶湯が凝固した後、固定金型２及び可動金型４からダイカスト鋳放し製品Ａを取り出す製品離型工程（図３）と、を備える。このアルミダイガスト工法において、溶湯充填工程（図２）を、溶湯をキャビティ空間に充填するとき、ダイカスト鋳放し製品Ａの下穴２３の位置にて、製品外形面よりはみ出した冷却用突出部２１を設ける工程とした。【選択図】図５
2015174140.tif 000002
【特許請求の範囲】
【請求項１】
製品形状のキャビティ空間を作り出すように二つの金型を型締めする型締め工程と、
前記キャビティ空間にアルミ合金の溶湯を圧入充填する溶湯充填工程と、
前記アルミ合金の溶湯が凝固した後、前記金型から製品を取り出す製品離型工程と、
を備えるアルミダイガスト工法において、
前記溶湯充填工程を、前記溶湯を前記キャビティ空間に充填するとき、前記製品の切削加工予定部位の位置にて、製品外形面よりはみ出した冷却用突出部を設ける工程とした
ことを特徴とするアルミダイカスト工法。
【請求項２】
請求項１に記載されたアルミダイカスト工法において、
前記金型に、前記製品に鋳抜き形状を作り出す鋳抜きピンを設け、
前記鋳抜きピンと前記金型の間に、溶湯が入り込む隙間幅を持つ隙間溝を形成し、
前記冷却用突出部を、前記隙間溝に入り込んだ溶湯が凝固することにより意図的に形成される鋳バリにより設けた
ことを特徴とするアルミダイカスト工法。
【請求項３】
請求項１又は請求項２に記載されたアルミダイカスト工法において、
前記冷却用突出部の前記製品との連結部の厚みを、前記製品の切削加工予定部位の加工表面から加工により切削される深さと同等の厚みとした
ことを特徴とするアルミダイカスト工法。
【請求項４】
請求項１から３までの何れか一項に記載されたアルミダイカスト工法において、
前記冷却用突出部を、前記切削加工予定部位の最外周加工表面のうち、全加工表面域に亘って設けた
ことを特徴とするアルミダイカスト工法。
【請求項５】
請求項１から４までの何れか一項に記載されたアルミダイカスト工法において、
前記冷却用突出部を、該突出部の底面が前記製品と連結されている面から外側に延出され、延出先端部に向かって徐々に断面積が小さくなるように形成した
ことを特徴とするアルミダイカスト工法。
【請求項６】
請求項５に記載されたアルミダイカスト工法において、
前記冷却用突出部の前記底面と垂直な線分との成す角度を、前記金型の抜き勾配以上に設定した
ことを特徴とするアルミダイカスト工法。
【請求項７】
請求項５又は請求項６に記載されたアルミダイカスト工法において、
前記冷却用突出部の前記底面の厚みを、０．３ｍｍ以上で略１ｍｍ以下の範囲で設定した
ことを特徴とするアルミダイカスト工法。
【請求項８】
請求項７に記載されたアルミダイカスト工法において、
前記冷却用突出部の前記底面に対峙する頂点部の厚みを、略０．２ｍｍに形成した
ことを特徴とするアルミダイカスト工法。
【請求項９】
請求項６から８までの何れか一項に記載されたアルミダイカスト工法において、
前記冷却用突出部の底面と垂直な線分との成す角度を、前記金型の抜き勾配の大きさと同等のθ＝略１．５°に設定した
ことを特徴とするアルミダイカスト工法。
【請求項１０】
金型からの離型により取り出した製品であるダイカスト鋳放し製品において、
前記製品の切削加工予定部位の位置に、製品外形面よりはみ出し、かつ、切削加工により取り除かれる冷却用突出部を設けた
ことを特徴とするダイカスト鋳放し製品。
【発明の詳細な説明】
【技術分野】
【０００１】
本発明は、金型に溶融したアルミ合金を圧入充填するアルミダイカスト工法及びダイカスト鋳放し製品に関する。
【背景技術】
【０００２】
金型に溶融したアルミ合金を圧入充填することにより、高い寸法精度の鋳物を短時間に大量に生産するアルミダイカスト工法は、ガス巻き込みが生じてしまい、切削加工面に鋳巣（ブローホール）が発生するおそれがある（例えば、特許文献１参照）。
【０００３】
また、薄肉部での湯廻り欠陥や引け欠陥を防止することを目的とし、薄肉部の肉厚より小さい高さと幅とを有する凸状を、肉厚以上の間隔をあけて湯流れ方向に沿う方向に複数設けるアルミダイカスト工法が提案されている（例えば、特許文献２参照）。
【先行技術文献】
【特許文献】
【０００４】
【特許文献１】特開平１０−３２８８０５号公報
【特許文献２】特開平７−１４４２４９号公報
【発明の概要】
【発明が解決しようとする課題】
【０００５】
しかしながら、例えば、特許文献１に記載されているように、鋳巣の発生を抑える多種多様のアルミダイカスト工法が提案されているが、工法上、鋳巣を皆無にすることは困難である、という問題がある。
【０００６】
また、特許文献２に開示されたアルミダイカスト工法の場合、金型から取り出したダイカスト鋳放し製品に対し、製品に残った凸状のみを取り除く追加加工が必要となり、加工工数が増大する、という問題がある。
【０００７】
特に、金型から取り出したダイカスト鋳放し製品に対し、後工程にてボルト穴等の切削加工を行うと、内部で発生した鋳巣が切削加工面に現れ、油漏れやシール切れなどの不具合を起す。このため、切削加工面に鋳巣のないダイカスト製品が求められている。
【０００８】
本発明は、上記問題に着目してなされたもので、切削加工面に鋳巣が現れることを防止することができるアルミダイカスト工法及びダイカスト鋳放し製品を提供することを目的とする。
【課題を解決するための手段】
【０００９】
上記目的を達成するため、本発明のアルミダイカスト工法は、製品形状のキャビティ空間を作り出すように二つの金型を型締めする型締め工程と、前記キャビティ空間にアルミ合金の溶湯を圧入充填する溶湯充填工程と、前記アルミ合金の溶湯が凝固した後、前記金型から製品を取り出す製品離型工程と、を備える。
このアルミダイガスト工法において、前記溶湯充填工程を、前記溶湯を前記キャビティ空間に圧入充填するとき、前記製品の切削加工予定部位の位置にて、製品外形面よりはみ出した冷却用突出部を設ける工程とした。
上記目的を達成するため、本発明のダイカスト鋳放し製品は、金型からの離型により取り出した製品であるダイカスト鋳放し製品において、
前記製品の切削加工予定部位の位置に、製品外形面よりはみ出し、かつ、切削加工により取り除かれる冷却用突出部を設けた。
【発明の効果】
【００１０】
よって、溶湯充填工程において、溶湯をキャビティ空間に圧入充填するとき、製品の切削加工予定部位の位置にて、製品外形面よりはみ出した冷却用突出部が設けられる。
すなわち、製品の切削加工予定部位に設けられた冷却用突出部により冷却表面積が拡大されることで、冷却用突出部を含む加工表面が、急激な凝固スピードで冷却される。このため、加工表面の素材密度が高まり鋳巣が存在しても製品の加工表面から内部に追いやられ、加工表面に鋳巣が存在しなくなる。よって、ダイカスト鋳放し製品を切削加工しても、切削加工面に鋳巣が現れることが防止される。
更に、金型部品に冷却機構を設けるのではなく、充填するアルミ合金自体を冷却部品として活用できるようにしたので、コスト削減及び冷却の応答性改善が達成される。
この結果、切削加工面に鋳巣が現れることを防止することができると共に、コスト削減及び冷却の応答性改善を達成することができる。
【図面の簡単な説明】
【００１１】
【図１】実施例１のアルミダイカスト工法のうち型締め工程を示す型締め工程説明図である。
【図２】実施例１のアルミダイカスト工法のうち溶湯充填工程を示す溶湯充填工程説明図である。
【図３】実施例１のアルミダイカスト工法のうち製品離型工程を示す製品離型工程説明図である。
【図４】実施例１の溶湯充填工程において隙間溝を鋳抜きピン側に形成して冷却用突出部を設ける鋳抜きピンの部分を示す要部断面図である。
【図５】実施例１のアルミダイカスト工法によるダイカスト鋳放し製品のボルト穴加工部分を示す鋳放し製品断面図である。
【図６】実施例１のダイカスト鋳放し製品の冷却用突出部を示す図５のＥ部拡大断面図である。
【図７】実施例１のアルミダイカスト工法によるダイカスト鋳放し製品に対しネジ加工を施した後のダイカスト製品を示すダイカスト製品断面図である。
【図８】比較例の溶湯充填工程における冷却用突出部を設ける鋳抜きピンの部分を示す要部断面図である。
【図９】比較例のアルミダイカスト工法における鋳巣の生成作用を示す鋳巣生成作用説明図である。
【図１０】実施例１のアルミダイカスト工法における鋳巣の生成作用を示す鋳巣生成作用説明図である。
【図１１】溶湯充填工程において隙間溝を固定金型側に形成して冷却用突出部を設ける鋳抜きピンの部分を示す要部断面図である。
【発明を実施するための形態】
【００１２】
以下、本発明のアルミダイカスト工法及びダイカスト鋳放し製品を実現する最良の形態を、図面に示す実施例１に基づいて説明する。
【実施例１】
【００１３】
以下、実施例１のアルミダイカスト工法及びダイカスト鋳放し製品Ａを、「アルミダイカスト工法」、「ダイカスト鋳放し製品の詳細構成」、「ダイカスト製品の構成」、「比較例の工法における課題」、「実施例１の工法における作用」、「実施例１の工法及び製品の特徴作用」に分けて説明する。
【００１４】
［アルミダイカスト工法］
まず、図１〜図３に基づき、変速機のトランスミッションケースの製造に適用された実施例１のアルミダイカスト工法を説明する。
【００１５】
アルミダイカスト工法に用いられるダイカストマシンの概略構成を説明する。ダイカストマシンは、図１〜図３に示すように、固定金型ベース１に固定された固定金型２（金型）と、可動金型ベース３に固定され、固定金型２の合わせ面に対し垂直な方向に往復移動可能に設けられた可動金型４（金型）と、を備えている。
【００１６】
前記固定金型ベース１及び固定金型２には、キャビティ５と、鋳抜きピン６と、鋳込みシリンダ７と、溶湯注入穴８と、鋳込みピストン９と、鋳込み口１０（ビスケット）と、湯道１１（ランナー）と、湯口１２（ゲート）と、を有する。キャビティ５は、固定金型２の製品部分にあたる彫り込み面（空間）をいう。鋳抜きピン６は、固定金型２に設けられ、固定金型２の製品部分に突出し、製品のネジ穴加工位置に、予め加工前の下穴２３（切削加工予定部位）を形成しておくための部材である。鋳込みシリンダ７は、固定金型ベース１及び固定金型２に設けられる。
【００１７】
前記可動金型ベース３及び可動金型４には、可動金型４の製品部分にあたる突出面によるキャビティ５’と、凝固した製品を離型するときに製品を押し出す押し出し板１３及び押し出しピン１４と、を有する。なお、図１〜図３において、先走りの汚れた溶湯等を引き込むための湯溜まり（オーバーフロー）、金型キャビティ内のガスを抜くために金型表面に彫り込まれたエアーベントの図示は省略している。
【００１８】
前記アルミダイカスト工法は、ダイカスト鋳放し製品Ａの製造工程として、型締め工程（図１）と、溶湯充填工程（図２）と、製品離型工程（図３）と、を有する。
【００１９】
前記型締め工程は、図１に示すように、製品形状のキャビティ空間を作り出すように二つの金型（固定金型２と可動金型４）を型締めする工程である。すなわち、キャビティ５，５’に離型剤を塗布し、図１の実線位置から仮想線位置まで図１の矢印Ｆ方向に可動金型４を固定金型２に向かって移動させる。
【００２０】
前記溶湯充填工程は、図２に示すように、キャビティ空間にアルミ合金の溶湯を圧入充填する工程である。すなわち、鋳込みシリンダ７の溶湯注入穴８からアルミ合金の溶湯を流し込み、鋳込みピストン９により押し込むことで、鋳込み口１０→湯道１１→湯口１２を経過し、圧力を加えた溶湯をキャビティ空間に充填する。この溶湯充填工程において、溶湯をキャビティ空間に充填するとき、ダイカスト鋳放し製品Ａの下穴２３（切削加工予定部位）の位置にて、製品外形面よりはみ出した冷却用突出部２１（図５）を設ける。
【００２１】
前記製品離型工程は、図３に示すように、６５０℃〜７００℃の溶湯を約２００℃まで冷却し、アルミ合金の溶湯が凝固するのを待った後、固定金型２と可動金型４からダイカスト鋳放し製品Ａを取り出す工程である。すなわち、鋳込みピストン９と押し出しピン１４を突出させることにより、固定金型２と可動金型４のキャビティ空間からダイカスト鋳放し製品Ａを離型させる。
【００２２】
［ダイカスト鋳放し製品の詳細構成］
次に、図４〜図６に基づき、実施例１におけるダイカスト鋳放し製品Ａの詳細構成を説明する。
【００２３】
上記アルミダイカスト工法において、図４に示すように、固定金型２に、ダイカスト鋳放し製品Ａに鋳抜きにより有底穴形状の下穴２３を作り出す鋳抜きピン６を設ける。そして、鋳抜きピン６と固定金型２の間に、溶湯が入り込むのに十分な隙間幅を持つ隙間溝２２を形成する。
【００２４】
前記鋳抜きピン６は、図４に示すように、固定金型２のピン固定穴２ａに固定されるピン基部６ａと、固定金型２のピン穴２ｂに挿通されるピン挿着部６ｂと、キャビティ５から突出して設けられるピン先端部６ｃと、を有する。そして、鋳抜きピン６の軸芯位置には、ピン基部６ａ及びピン挿着部６ｂを経過し、ピン先端部６ｃの途中位置まで貫通し、冷却水が注入される冷却水穴６ｄを有する。
【００２５】
前記隙間溝２２は、鋳抜きピン６のうち、ピン挿着部６ｂとピン先端部６ｃとの境界部分にピンテーパ面６ｅを設けることで、鋳抜きピン６と円筒形状によるピン穴２ｂとの間に形成される。なお、固定金型２のピン穴２ｂと、ピンテーパ面６ｅ以外のピン挿着部６ｂとの隙間ｔは、溶湯の流動が停止し、鋳バリが出ない０．２ｍｍ以下の隙間ｔに寸法管理されている。そして、溶湯充填工程において、隙間溝２２に入り込んだ溶湯が凝固することにより意図的に形成される円環状に突出した鋳バリにより、ダイカスト鋳放し製品Ａに冷却用突出部２１が設けられる。つまり、冷却用突出部２１は、溶湯充填工程において形成される強制冷却バリと言い換えることができる。
【００２６】
ここで、金型の隙間ｔが、０．２ｍｍ以下は、鋳バリが出ない理由を説明する。
アルミダイカスト工法におけるエアーベント（ガス抜き）は、様々な文献により、一般的に、０．１ｍｍ〜０．２ｍｍが推奨されています。このエアーベントは、ガスのみを通過させて、アルミ合金による溶湯の流動を止める役割をしている。つまり、金型の隙間ｔを０．２ｍｍ以下に規定すると、アルミ合金による溶湯の流動が止まり、鋳バリが出ないことになる。
【００２７】
このように、固定金型２と可動金型４からの離型により取り出した製品であるダイカスト鋳放し製品Ａは、図５に示すように、下穴２３（切削加工予定部位）の位置に、製品外形面よりはみ出し、かつ、切削加工により取り除かれる冷却用突出部２１を設けたものとされる。
【００２８】
次に、ダイカスト鋳放し製品Ａの冷却用突出部２１の詳しい形状規定について、図６に基づき説明する。
(a) 冷却用突出部２１のダイカスト鋳放し製品Ａとの連結部の厚みＤは、ダイカスト鋳放し製品Ａの下穴２３の加工表面から加工により切削される深さＤ’と同等の厚みとされる。
(b) 冷却用突出部２１は、下穴２３の最外周加工表面のうち、全加工表面域に亘って設けられる。実施例１の場合、図５に示すように、ダイカスト鋳放し製品Ａに、ボルト穴が加工される下穴２３の周りを取り囲むように、円環状に突出する冷却用突出部２１が設けられる。
(c) 冷却用突出部２１は、該突出部２１の底面が製品と連結されている面から外側に延出され、延出先端部に向かって徐々に断面積が小さくなるように形成される。実施例１の場合、図６に示すように、断面三角による先細り形状とされる。そして、冷却用突出部２１の底面の厚みＤは、０．３ｍｍ以上で略１ｍｍ以下の範囲で設定され、底面に対峙する頂点部ｄの厚みは、０．２ｍｍ以下に形成される。
(d) 冷却用突出部２１の底面と垂直な線分との成す角度θは、固定金型２の抜き勾配以上に設定される。実施例１での冷却用突出部２１の底面と垂直な線分との成す角度θは、固定金型２の抜き勾配の大きさと同等のθ＝略１．５°に設定される。
(e) 冷却用突出部２１の高さＸは、加工深さや下穴径等により適切な寸法（例えば、３ｍｍ〜５ｍｍ）に設定される。
【００２９】
［ダイカスト製品の構成］
次に、図７に基づき、実施例１のアルミダイカスト工法によるダイカスト製品Ｂの構成を説明する。
【００３０】
前記ダイカスト鋳放し製品Ａに対して、ネジ穴と端面の同時切削加工を施した後、ネジ切り加工を施し、さらに、テーパ面加工（面取り加工）を施すことで、ダイカスト製品Ｂとなる。
つまり、最終的なダイカスト製品Ｂには、図７に示すように、同時切削加工によるネジ穴３１及び加工端面３２と、雌ネジ部３３と、Ｏリングを介装してボルトを螺合するシールテーパ面３４と、を有する。そして、ダイカスト製品Ｂとしては、シールテーパ面３４に所定の径以上の鋳巣が存在しないことが要求される。
【００３１】
［比較例の工法における課題］
次に、図８及び図９に基づき、比較例のアルミダイカスト工法でダイカスト製品を製造する際の課題を説明する。
【００３２】
アルミダイカスト工法において、図８に示すように、固定金型に、ダイカスト鋳放し製品に鋳抜き形状としての下穴（有底穴）を作り出す鋳抜きピンを設け、鋳抜きピンと固定金型の間を、溶湯が入り込まないように隙間管理したものを比較例とする。
【００３３】
この比較例の場合、溶湯充填工程において、溶湯充填後、溶湯が凝固する凝固スピードが遅いため、内部組織が粗くなり、図９に示すように、鋳物表面のすぐ内側部分にガス巻き込みによる鋳巣（ブローホール）が発生する。
【００３４】
このように、鋳物表面のすぐ内側部分に鋳巣が発生したダイカスト鋳放し製品を、切削加工してダイカスト製品にすると、切削加工面に鋳巣が現れてしまう。この鋳巣がシール面に発生すると、シール切れによる油漏れなどの不具合を起すため、鋳巣のないダイカスト製品が求められている。この鋳巣防止には、金型にアルミの凝固収縮を利用した手法が多種多様あるがいずれもコスト増、冷却応答性の遅れ等により、十分な対応が出来ていない。
【００３５】
［実施例１の工法における作用］
次に、図１０に基づき、実施例１のアルミダイカスト工法でダイカスト製品を製造する際の作用を説明する。
【００３６】
実施例１では、溶湯充填工程において、溶湯をキャビティ空間に圧入充填するとき、ダイカスト鋳放し製品Ａの下穴２３の位置にて、製品外形面よりはみ出した冷却用突出部２１を設けるアルミダイカスト工法を採用した。
【００３７】
すなわち、溶湯充填工程製品Ａの下穴２３の部位に設けられた冷却用突出部２１により冷却表面積が拡大されピン挿入部に接触する部分が広くなることで、冷却用突出部２１を含む加工表面が、急激な凝固スピードで冷却される。このため、加工表面側の素材から内部に向かって順次素材密度が高まり鋳巣が存在しても製品の加工表面から内部に追いやられ、加工表面に鋳巣が存在しなくなる。
【００３８】
その理由を説明すると、アルミダイカストは、凝固スピードにより内部組織が大きく変化する。つまり、凝固スピードが速ければ速いほど、図１０に示すように、組織が緻密となり“鋳巣”が発生しない性質がある。つまり、内部組織が緻密であるチル層の厚みが厚くなる。加えて、凝固スピードが速い場合、“鋳巣”は、凝固スピードが遅い内部へ移動する性質がある。
【００３９】
これに対し、切削加工予定部位である下穴２３の位置に冷却用突出部２１を設けると、薄板である冷却用突出部２１の凝固が、下穴２３の凝固を促進させ、凝固スピードが大幅にアップする。一般的に、溶湯の凝固時間は、（肉厚2×0.01）の式で算出される。上記比較例のように、冷却用突出部２１が無く、肉厚３ｍｍの部位は、凝固時間が０．１５３秒となる。一方、実施例１のように、冷却用突出部２１が存在し、その肉厚が０．５ｍｍの場合は、凝固時間が０．００４２５秒となり、比較例に比べ、３６倍のスピードで凝固することになる。
【００４０】
この凝固スピードのアップにより、面取り加工等を行っても、内部組織が緻密であり、かつ、“鋳巣”が無いチル層を削り取ることになり、“鋳巣”を面取り加工面等の切削加工予定部位に発生させない。すなわち、ダイカスト鋳放し製品Ａを切削加工しても、切削加工面に鋳巣が現れることが防止される。
【００４１】
更に、金型部品に対し、特に新たな冷却機構を設けるのではなく、充填するアルミ合金自体を充填時の溶湯状態で隙間溝にも同時に充填した冷却部品として活用できるようにしたので、コスト削減及び導電率の良いアルミが該隙間に完全に充填されるので応答性改善が達成される。この結果、切削加工面に鋳巣が現れることを防止することができると共に、コスト削減及び冷却の応答性改善を達成することができる。
【００４２】
［実施例１の工法及び製品の特徴作用］
次に、実施例１のアルミダイカスト工法及びダイカスト鋳放し製品Ａの他の特徴作用を説明する。
【００４３】
実施例１では、固定金型２に、ダイカスト鋳放し製品Ａに鋳抜き形状を作り出す鋳抜きピン６を設け、鋳抜きピン６と固定金型２の間に、溶湯が入り込む隙間幅を持つ隙間溝２２を形成する。そして、冷却用突出部２１を、隙間溝２２に入り込んだ溶湯が凝固することにより意図的に形成される鋳バリとする構成とした。
この構成により、工法に供する部品点数を増大させることなく、鋳抜きピン６と固定金型２の隙間溝２２の寸法管理により意図的に形成した鋳バリにより、容易に冷却用突出部２１を設けることができる。
【００４４】
実施例１では、冷却用突出部２１のダイカスト鋳放し製品Ａとの連結部の厚みＤを、ダイカスト鋳放し製品Ａの下穴２３の加工表面から加工により切削される深さＤ’と同等の厚みとする構成とした。
この構成により、ダイカスト鋳放し製品Ａを切削加工するとき、冷却用突出部２１が削除されるので、別の追加工程で冷却用突出部２１を削除する手間を省くことができる。
【００４５】
実施例１では、冷却用突出部２１を、下穴２３の最外周加工表面のうち、全加工表面域に亘って設ける構成とした。
この構成により、下穴２３の全周に亘って均等に凝固スピードがアップすることで、全加工表面域を急速に冷却させ、鋳巣の無い緻密な組織とすることができる。
【００４６】
実施例１では、冷却用突出部２１を、該突出部２１の底面がダイカスト鋳放し製品Ａと連結されている面から外側に延出され、延出先端部に向かって徐々に断面積が小さくなるように形成する構成とした。
この構成により、アルミ合金の溶湯充填を促しながら、冷却用突出部２１を形成することができ、エアーベント領域迄の区間で溶湯の充填を規定の位置で止める事ができるので、余分なコスト作業工程を増やすことなく対応することができる。
【００４７】
実施例１では、冷却用突出部２１の底面と垂直な線分との成す角度θを、固定金型２の抜き勾配以上に設定する構成とした。
この構成により、アルミダイカスト工法において、新たな工程増加をせずに、従来通りの工程による手順にて冷却用突出部２１を形成することができる。
【００４８】
実施例１では、冷却用突出部２１の底面の厚みＤを、０．３ｍｍ以上で略１ｍｍ以下の範囲で設定した構成とした。
この構成により、エアーベント領域以上の隙間であり、アルミ合金による溶湯の充填時に確実に冷却用突出部２１を成形することができる。
【００４９】
実施例１では、冷却用突出部２１の底面に対峙する頂点部の厚みｄを、略０．２ｍｍに形成する構成とした。
この構成により、冷却用突出部２１の先端部にまで確実にアルミ合金による溶湯を充填でき、更にエアーベント領域内の値に設定する事で充填領域の境界が明確となり必要以上の溶湯の流出を防ぐことができる。
【００５０】
実施例１では、冷却用突出部２１の底面と垂直な線分との成す角度θを、固定金型２の抜き勾配の大きさと同等のθ＝略１．５°に設定する構成とした。
この構成により、通常の抜き勾配で対応でき、特殊な金型に設計し直すこともないので、設計的な信頼性を確保することができる。
【００５１】
次に、効果を説明する。
実施例１のアルミダイカスト工法及びダイカスト鋳放し製品Ａにあっては、下記に列挙する効果を得ることができる。
【００５２】
(1) 製品形状のキャビティ空間を作り出すように二つの金型（固定金型２、可動金型４）を型締めする型締め工程（図１）と、
キャビティ空間にアルミ合金の溶湯を圧入充填する溶湯充填工程（図２）と、
アルミ合金の溶湯が凝固した後、金型（固定金型２、可動金型４）から製品（ダイカスト鋳放し製品Ａ）を取り出す製品離型工程（図３）と、
を備えるアルミダイガスト工法において、
溶湯充填工程（図２）を、溶湯をキャビティ空間に充填するとき、製品（ダイカスト鋳放し製品Ａ）の切削加工予定部位（下穴２３）の位置にて、製品外形面よりはみ出した冷却用突出部２１を設ける工程とした。
このため、コスト削減と共に、冷却の応答性改善を達成するので切削加工面に鋳巣が現れることを防止するアルミダイカスト工法を提供することができる。
【００５３】
(2) 金型（固定金型２、可動金型４）に、製品（ダイカスト鋳放し製品Ａ）に鋳抜き形状を作り出す鋳抜きピン６を設け、
鋳抜きピン６と金型（固定金型２）の間に、溶湯が入り込む隙間幅を持つ隙間溝２２を形成し、
冷却用突出部２１を、隙間溝２２に入り込んだ溶湯が凝固することにより意図的に形成される鋳バリにより設けた。
このため、(1)の効果に加え、工法に供する部品点数を増大させることなく、鋳抜きピン６と金型（固定金型２）の隙間溝２２の寸法管理により意図的に形成した鋳バリにより、容易に冷却用突出部２１を設けることができる。
【００５４】
(3) 冷却用突出部２１の製品（ダイカスト鋳放し製品Ａ）との連結部の厚みＤを、製品（ダイカスト鋳放し製品Ａ）の切削加工予定部位（下穴２３）の加工表面から加工により切削される深さＤ’と同等の厚みとした。
このため、(1)又は(2)の効果に加え、製品（ダイカスト鋳放し製品Ａ）を切削加工するとき、冷却用突出部２１が削除されるので、別の追加工程で冷却用突出部２１を削除する手間を省くことができる。
【００５５】
(4) 冷却用突出部２１を、切削加工予定部位（下穴２３）の最外周加工表面のうち、全加工表面域に亘って設けた。
このため、(1)〜(3)の効果に加え、切削加工予定部位（下穴２３）の全周に亘って均等に凝固スピードがアップすることで、全加工表面域を急速に冷却させ、鋳巣の無い緻密な組織とすることができる。
【００５６】
(5) 冷却用突出部２１を、該突出部２１の底面が製品（ダイカスト鋳放し製品Ａ）と連結されている面から外側に延出され、延出先端部に向かって徐々に断面積が小さくなるように形成した。
このため、(1)〜(4)の効果に加え、アルミ合金の溶湯充填を促しながら、冷却用突出部２１を形成することができ、余分なコスト作業工程を増やすことなく対応することができる。
【００５７】
(6) 冷却用突出部２１の底面と垂直な線分との成す角度θを、金型（固定金型２）の抜き勾配以上に設定した。
このため、(5)の効果に加え、アルミダイカスト工法において、新たな工程増加をせずに、従来通りの工程による手順にて冷却用突出部２１を形成することができる。
【００５８】
(7) 冷却用突出部２１の底面の厚みＤを、０．３ｍｍ以上で略１ｍｍ以下の範囲で設定した。
このため、(5)又は(6)の効果に加え、アルミ合金による溶湯の充填時に確実に冷却用突出部２１を成形することができる。
【００５９】
(8) 冷却用突出部２１の底面に対峙する頂点部の厚みｄを、略０．２ｍｍに形成した。
このため、(7)の効果に加え、冷却用突出部２１の先端部にまで確実にアルミ合金による溶湯を充填でき、更に溶湯の充填境界値が明確になり必要以上の溶湯の流出を防ぐことができる。
【００６０】
(9) 冷却用突出部２１の底面と垂直な線分との成す角度θを、固定金型２の抜き勾配の大きさと同等のθ＝略１．５°に設定した。
このため、(6)〜(8)の効果に加え、通常の抜き勾配で対応でき、特殊な金型に設計し直すこともないので、設計的な信頼性を確保することができる。
【００６１】
(10) 金型（固定金型２、可動金型４）からの離型により取り出した製品であるダイカスト鋳放し製品Ａにおいて、
製品（ダイカスト鋳放し製品Ａ）の切削加工予定部位（下穴２３）の位置に、製品外形面よりはみ出し、かつ、切削加工により取り除かれる冷却用突出部２１を設けた。
このため、切削加工面に鋳巣が現れることを防止すると共に、コスト削減及び冷却の応答性改善を達成するダイカスト鋳放し製品を提供することができる。
【００６２】
以上、本発明のアルミダイカスト工法及びダイカスト鋳放し製品を実施例１に基づき説明してきたが、具体的な構成については、この実施例１に限られるものではなく、特許請求の範囲の各請求項に係る発明の要旨を逸脱しない限り、設計の変更や追加等は許容される。
【００６３】
実施例１では、隙間溝２２として、鋳抜きピン６のうち、ピン挿着部６ｂとピン先端部６ｃとの境界部分にピンテーパ面６ｅを設けることで、鋳抜きピン６と円筒形状によるピン穴２ｂとの間に形成する例を示した。しかし、隙間溝としては、金型にテーパ面を設けることで形成する例であっても良いし、鋳抜きピンと金型の両方にテーパ面を設けることで形成する例であっても良い。例えば、金型にテーパ面を設けることで隙間溝を形成する場合は、図１１に示すように、固定金型２のうち、ピン挿着部６ｂとピン先端部６ｃとの境界部分に金型テーパ面２ｅを設けることで、円筒形状による鋳抜きピン６とピン穴２ｂの金型テーパ面２ｅとの間に隙間溝２２を形成する。
【００６４】
実施例１では、本発明のアルミダイカスト工法及びダイカスト鋳放し製品Ａを、トランスミッションケースに適用する例を示した。しかし、本発明のアルミダイカスト工法及びダイカスト鋳放し製品は、トランスミッションケース以外のアルミダイカスト製品に対しても勿論適用することができる。
【符号の説明】
【００６５】
Ａ  ダイカスト鋳放し製品
１  固定金型ベース
２  固定金型（金型）
２ａ  ピン固定穴
２ｂ  ピン穴
３  可動金型ベース
４  可動金型（金型）
５  キャビティ
６  鋳抜きピン
６ａ  ピン基部
６ｂ  ピン挿着部
６ｃ  ピン先端部
６ｄ  冷却水穴
６ｅ  ピンテーパ面
２１  冷却用突出部
２２  隙間溝
２３  下穴（切削加工予定部位）
【図１】
2015174140.tif 000003
【図２】
2015174140.tif 000004
【図３】
2015174140.tif 000005
【図４】
2015174140.tif 000006
【図５】
2015174140.tif 000007
【図６】
2015174140.tif 000008
【図７】
2015174140.tif 000009
【図８】
2015174140.tif 000010
【図９】
2015174140.tif 000011
【図１０】
2015174140.tif 000012
【図１１】
2015174140.tif 000013